(57)【要約】      （修正有）【課題】多層ディスクを装着した場合でも初期調整時間を短縮することができ、ディスクに対して読み書き可能となるまでの待ち時間を短縮することが可能な光ディスク及び情報記録装置または再生装置を提供する。【解決手段】案内溝を有する記録層を２層以上備え、各記録層のうちの特定の記録層に該記録層以外の前記各記録層の前記各案内溝から得られる信号特性に関する校正情報が記録された交換可能な光ディスク１を記録及び／または再生する光ディスク情報装置であって、前記特定の記録層の案内溝から得られる信号特性を調整して第１の調整値を得る調整手段２７と、校正情報と第１の調整値とに基づき演算によって前記特定の記録層以外の前記各記録層の信号特性を調整して第２の調整値を得る演算手段２７とを有する。【選択図】図７
2009146501.tif 000002
【特許請求の範囲】
【請求項１】
案内溝を有する記録層を２層以上備えた光ディスクであって、
前記各記録層のうちの少なくとも１つに前記各記録層の前記各案内溝から得られる信号特性に関する情報が記録されていることを特徴とする光ディスク。
【請求項２】
案内溝を有する記録層を２層以上備え、前記各記録層のうちの特定の記録層に該記録層以外の前記各記録層の前記各案内溝から得られる信号特性に関する校正情報が記録された交換可能な光ディスクを記録及び／または再生する光ディスク情報装置であって、
前記特定の記録層の前記案内溝から得られる信号特性を調整して第１の調整値を得る調整手段と、前記校正情報と第１の調整値とに基づき演算によって前記特定の記録層以外の前記各記録層の信号特性を調整して第２の調整値を得る演算手段とを有することを特徴とする光ディスク情報装置。
【請求項３】
案内溝を有する記録層を２層以上備え、前記各記録層に当該記録層以外の前記各記録層の前記各案内溝から得られる信号特性に関する校正情報がそれぞれ記録された交換可能な光ディスクを記録及び／または再生する光ディスク情報装置であって、
前記各記録層のうちの何れか１つの前記案内溝から得られる信号特性を調整して第１の調整値を得る調整手段と、前記校正情報と第１の調整値とに基づき演算によって前記何れか１つの記録層以外の前記各記録層の信号特性を調整して第２の調整値を得る演算手段とを有することを特徴とする光ディスク情報装置。
【請求項４】
案内溝を有する記録層を２層以上備え、前記各記録層のうちの特定の記録層に前記各記録層の前記各案内溝から得られる信号特性に関する校正情報が記録された交換可能な光ディスクを記録及び／または再生する光ディスク情報装置であって、
前記校正情報に基づき演算によって前記各記録層の信号特性を調整して調整値を得る演算手段を有することを特徴とする光ディスク情報装置。
【請求項５】
案内溝を有する記録層を２層以上備え、前記各記録層に前記各記録層の前記各案内溝から得られる信号特性に関する校正情報がそれぞれ記録された交換可能な光ディスクを記録及び／または再生する光ディスク情報装置であって、
前記校正情報に基づき演算によって前記各記録層の信号特性を調整して調整値を得る演算手段を有することを特徴とする光ディスク情報装置。
【発明の詳細な説明】
【技術分野】
【０００１】
本発明は２層以上の記録層を有する光ディスク及びこれを用いて記録及び／または再生を行う光ディスク情報装置に関する。
【背景技術】
【０００２】
従来、光ディスクやその駆動装置では、ディスク１枚当たりの記憶容量を向上させるため多数の記録層を積層させ、片面からレーザ光を集光して焦点を切り替えることで各記録層の書き込み及び読み出しを行う技術が開発されている。各記録層におけるサーボ信号や情報信号（ＲＦあるいはＨＦ信号とも呼ばれる）の振幅等は一般的には層毎に異なるため、それぞれの層において各信号の振幅等の調整を行う技術が、例えば「特許文献１」に開示されている。
【０００３】
【特許文献１】特開２００３−３３８０５号公報
【発明の開示】
【発明が解決しようとする課題】
【０００４】
上述した技術において、各信号の振幅等の調整はディスク装着時に各層で行われるため、ディスクが多層となればなるほど調整動作にかかる時間が長くなる。例えば１層当たりの調整時間が５秒であっても４層では２０秒かかることとなり、ディスクを入れ替えてから利用可能となるまでにユーザは長時間待たねばならないという問題点がある。
【０００５】
本発明は上述の問題点を解決し、多層ディスクを装着した場合でも初期調整時間を短縮することができ、ディスクに対して読み書き可能となるまでの待ち時間を短縮することが可能な光ディスク及び情報記録装置または再生装置の提供を目的とする。
【課題を解決するための手段】
【０００６】
請求項１記載の発明は、案内溝を有する記録層を２層以上備えた光ディスクであって、前記各記録層のうちの少なくとも１つに前記各記録層の前記各案内溝から得られる信号特性に関する情報が記録されていることを特徴とする。
【０００７】
請求項２記載の発明は、案内溝を有する記録層を２層以上備え、前記各記録層のうちの特定の記録層に該記録層以外の前記各記録層の前記各案内溝から得られる信号特性に関する校正情報が記録された交換可能な光ディスクを記録または再生する情報記録装置または再生装置であって、前記特定の記録層の前記案内溝から得られる信号特性を調整して第１の調整値を得る調整手段と、前記校正情報と第１の調整値とに基づき演算によって前記特定の記録層以外の前記各記録層の信号特性を調整して第２の調整値を得る演算手段とを有することを特徴とする。
【０００８】
請求項３記載の発明は、案内溝を有する記録層を２層以上備え、前記各記録層に当該記録層以外の前記各記録層の前記各案内溝から得られる信号特性に関する校正情報がそれぞれ記録された交換可能な光ディスクを記録または再生する情報記録装置または再生装置であって、前記各記録層のうちの何れか１つの前記案内溝から得られる信号特性を調整して第１の調整値を得る調整手段と、前記校正情報と第１の調整値とに基づき演算によって前記何れか１つの記録層以外の前記各記録層の信号特性を調整して第２の調整値を得る演算手段とを有することを特徴とする。
【０００９】
請求項４記載の発明は、案内溝を有する記録層を２層以上備え、前記各記録層のうちの特定の記録層に前記各記録層の前記各案内溝から得られる信号特性に関する校正情報が記録された交換可能な光ディスクを記録または再生する情報記録装置または再生装置であって、前記校正情報に基づき演算によって前記各記録層の信号特性を調整して調整値を得る演算手段を有することを特徴とする。
【００１０】
請求項５記載の発明は、案内溝を有する記録層を２層以上備え、前記各記録層に前記各記録層の前記各案内溝から得られる信号特性に関する校正情報がそれぞれ記録された交換可能な光ディスクを記録または再生する情報記録装置または再生装置であって、前記校正情報に基づき演算によって前記各記録層の信号特性を調整して調整値を得る演算手段を有することを特徴とする。
【発明の効果】
【００１１】
本発明によれば、校正情報を用いることにより各記録層におけるプッシュプル信号振幅を把握することができるので、実際の信号を測定することなく記録再生装置のラジアルトラッキングサーボ回路やウオブル信号検出回路等の増幅率等の調整を行うことができるようになり、調整に要する時間を短縮することにより作業性を向上することができる。
【発明を実施するための最良の形態】
【００１２】
図１は、本発明の第１の実施形態に用いられる光ディスクを示している。同図において光ディスク１は、図において最下層に光透過性のカバー層（Ｓ１）２を、最上層に厚さ１ｍｍ程度のディスク基板（Ｓ２）３を有しており、図の下側から記録再生光ビームが集光される。カバー層２（Ｓ１）とディスク基板３（Ｓ２）との間には４層の記録層（Ｌ０）４、記録層（Ｌ１）５、記録層（Ｌ２）６、記録層（Ｌ３）７が設けられており、各記録層４，５，６，７には図示しない周知の光ビームのトラック追跡用の案内溝が情報トラックに沿ってそれぞれ設けられている。各案内溝は、円板ディスクでは同心円あるいはスパイラル状に形成されている。
【００１３】
記録層（Ｌ０）４の所定位置には校正情報である信号校正情報８が記録されている。信号校正情報８には各記録層４，５，６，７特有の信号振幅やその調整に必要な反射率等の情報が含まれている。この信号校正情報８の具体例を図２に示す。図２に示すように、信号構成情報８には各記録層（Ｌａｙｅｒ）４〜７（Ｌ０〜Ｌ３）における反射率（Ｒｅｆｌｅｃｔｉｖｉｔｙ）Ｒ０，Ｒ１，Ｒ２，Ｒ３とプッシュプル信号振幅（Ｐｕｓｈ−Ｐｕｌｌ）ＰＰ０，ＰＰ１，ＰＰ２，ＰＰ３の値が書かれている。
【００１４】
図３に光スポットの半径方向位置に対する和信号Ｉ１＋Ｉ２とプッシュプル信号（差信号）Ｉ１−Ｉ２の概念を示す。和信号Ｉ１＋Ｉ２は案内溝による回折で変調され、中心で低レベルとなり案内溝間で高レベルとなる。ただしこれは案内溝の幅や深さによって変化し、レベル関係が逆となったりレベル差がほとんどなくなったりする場合もあり、この和信号Ｉ１＋Ｉ２の平均レベルが反射率に相当する。また、案内溝上の和信号レベルをグルーブレベルと呼び、これを反射率定義に用いる場合もある。
【００１５】
プッシュプル信号Ｉ１−Ｉ２は案内溝からの１次回折光の差を検出しており、案内溝上及び案内溝間で０となるような正弦波状の信号が得られる。光ディスク１を記録及び再生する記録再生装置は、一般にこのプッシュプル信号を用い、光スポットを案内溝中心に追従させるラジアルトラッキングサーボを行う。また、ディスクの案内溝を半径方向に微少量だけ蛇行させて形成し、光スポットをトラッキングさせたときに得られるプッシュプル信号は特にウオブル（Ｗｏｂｂｌｅ）信号と呼ばれ、これはディスクの回転サーボやデコードしてアドレス情報やその他の補助情報を得ることに用いられる。
【００１６】
図２に示す信号校正情報の反射率Ｒ（Ｒ０〜Ｒ３）は、例えば和信号Ｉ１＋Ｉ２の各記録層４，５，６，７での平均レベルとして定義する。このときの照射光量、光学系のパラメータ、光電変換器の変換係数をそれぞれ所定値として定義しておけば、各記録再生装置の設計や製造時の知見により予め校正可能に構成することができる。また、図２に示すプッシュプル信号振幅ＰＰ（ＰＰ０〜ＰＰ３）は、例えばプッシュプル信号Ｉ１−Ｉ２の振幅を和信号Ｉ１＋Ｉ２の平均レベルで除して正規化した「正規化プッシュプル」振幅として定義する。これにより反射率、照射ビームの強度、光電変換係数によらず、案内溝の回折特性を反映した値となる。
【００１７】
図４は、上述した和信号Ｉ１＋Ｉ２とプッシュプル信号Ｉ１−Ｉ２とを得るための光学系の一例を示している。同図において光ディスク１には、複数の案内溝９が周期的に設けられている。符号１０は対物レンズであり、光ビームを光ディスク１の各記録層４，５，６，７に集光して光スポットを形成する。符号１１はビームスプリッタであり、光源１２からの照射光を斜面で反射して対物レンズ１０に導き、光ディスク１からの反射光を透過して光電変換器１３に案内する。光源１２は公知の半導体レーザとレンズ等で構成されており、光ビームを生成する。光電変換器１３は光ディスク１の半径方向に対し、ＰＤ１とＰＤ２とに２分割されており、ＰＤ１の出力電流をＩ１、ＰＤ２の出力電流をＩ２とする。電流Ｉ１，Ｉ２が加算手段１４及び減算手段１５において加減算されることにより、和信号Ｉ１＋Ｉ２及びプッシュプル信号Ｉ１−Ｉ２を得る。
【００１８】
上述した光学系を搭載した記録再生装置では、光ディスク１が装着されると最初に記録層（Ｌ０）４の所定位置にアクセスして信号校正情報８を取得する。この信号校正情報８を用いることにより各記録層４，５，６，７におけるプッシュプル信号振幅を把握することができるので、実際の信号を測定することなく記録再生装置のラジアルトラッキングサーボ回路やウオブル信号検出回路等の増幅率等の調整を行うことができるようになり、調整に要する時間を短縮することにより作業性を向上することができる。
【００１９】
上述の実施形態において、校正情報として上記の他多様な情報を含む構成としてもよい。この構成により記録再生装置は、これらの多様な情報を用いてさらに様々な信号の調整動作にかかる時間を短縮することが可能となる。
【００２０】
図５は、本発明の第２の実施形態に用いられる光ディスクを示している。同図において光ディスク１６は、光ディスク１と同様にカバー層２、ディスク基板３、４層の記録層４，５，６，７を有しており、各記録層４，５，６，７の所定位置には校正情報である信号校正情報１７，１８，１９，２０がそれぞれ記録されている。各信号校正情報１７，１８，１９，２０は信号構成情報８と同様であり、各信号校正情報１７，１８，１９，２０の具体例を図６に示す。図６に示すように、各信号構成情報１７，１８，１９，２０には各記録層４〜７における反射率Ｒ０，Ｒ１，Ｒ２，Ｒ３とプッシュプル信号振幅ＰＰ０，ＰＰ１，ＰＰ２，ＰＰ３の値が書かれており、各信号構成情報１７，１８，１９，２０の内容は全て同じに構成されている。
【００２１】
第１の実施形態に示した記録再生装置に対して光ディスク１６が装着されると、記録再生装置は各記録層４，５，６，７の何れかにアクセスして信号校正情報１７，１８，１９，２０の何れかを取得する。各信号構成情報１７，１８，１９，２０が全て同一であり各信号構成情報１７，１８，１９，２０には各記録層４，５，６，７の全ての層に対する情報が記録されていることから、取得した信号校正情報１７，１８，１９，２０の何れかを用いることにより各記録層４，５，６，７におけるプッシュプル信号振幅を把握することができるので、実際の信号を測定することなく記録再生装置のラジアルトラッキングサーボ回路やウオブル信号検出回路等の増幅率等の調整を行うことができるようになり、調整に要する時間を短縮することにより作業性を向上することができる。また、信号構成情報１７，１８，１９，２０は何れかの記録層４，５，６，７に記録されているものを読み出せばよく、特定の記録層にアクセスする必要がないため、第１の実施形態に比して信号構成情報を得るまでのアクセス時間を短縮することができ、全体の待ち時間を短縮することができる。第１及び第２の実施形態では記録層の数を４層としたが、記録層の数はこれに限られることはない。
【００２２】
図７は、本発明の第３の実施形態に用いられる光ディスク１を記録再生する記録再生装置のブロック図である。同図において符号２１は光ピックアップ（Ｏｐｔｉｃａｌ  Ｐｉｃｋｕｐ  Ｕｎｉｔ）を示しており、光ピックアップ２１は光ディスク１の任意の記録層に光スポットを集光させ、反射光を検出して光電変換された信号Ｉ１，Ｉ２を出力する。光ピックアップ２１の具体的な構成としては図４に示したものが挙げられ、光電変換器１３により反射光検出信号Ｉ１及びＩ２を出力する。
【００２３】
符号２２は公知の演算アンプやフィルタ回路等により構成される信号処理手段であり、信号処理手段２２は信号Ｉ１−Ｉ２に低減フィルタを通したものをプッシュプル信号（ＰＰ）として出力する。ここで用いられるフィルタとしては、高周波データ信号を阻止してサーボ信号成分だけを抽出するように、概ね１００ＫＨｚ以下のものが選定されることが多い。また信号処理手段２２は、信号Ｉ１−Ｉ２に特定の帯域通過フィルタを通したものをウオブル信号（ＷＢＬ）として出力する。ウオブル信号（ＷＢＬ）は光ディスク１の案内溝の微少量蛇行を検出し、これに埋め込まれたアドレス信号や補助信号を抽出する際に用いられる。さらに信号処理手段２２は、信号Ｉ１＋Ｉ２の高周波成分をデータ信号（ＨＦ）として出力する。データ信号（ＨＦ）は、記録されたデータの再生信号としてデコードされ、上位装置で用いられる。
【００２４】
符号２３は可変ゲイン手段（Ｖａｒｉａｂｌｅ  Ｇａｉｎ  Ａｍｐｌｉｆｉｅｒ）であり、後述するマイクロコンピュータ（ｕＣＯＭ）２７からのゲイン設定指令（ＰＰｇａｉｎ）に応じてプッシュプル信号（ＰＰ）のゲインを可変し、ラジアルトラッキング誤差信号（ＴＥ）を出力する。
【００２５】
符号２４は信号構成情報のデコード手段であり、ウオブル信号（ＷＢＬ）内に埋め込まれた補助信号をデコードして光ディスク１に記録された信号構成情報（ＣＩ）８を出力する。符号２５は公知のラジアルトラッキングサーボ手段であり、トラッキング誤差信号（ＴＥ）に応じて光ピックアップ２１の対物レンズ等を駆動し、光スポットが案内溝を追跡するように制御する。符号２６はデコード手段であり、データ信号（ＨＦ）をデコードして再生データとして上位装置に出力する。
【００２６】
符号２７はマイクロコンピュータ（ｕＣＯＭ）であり、公知のＣＰＵ、メモリ、Ｉ／Ｏ、Ａ／Ｄ変換器等から構成されている。マイクロコンピュータ（ｕＣＯＭ）２７は、本実施形態では信号構成情報（ＣＩ）８を入力し、トラッキング誤差信号（ＴＥ）をＡ／Ｄ変換して入力する。マイクロコンピュータ（ｕＣＯＭ）２７は、図示しないアクセス手段を用い、光ピックアップ２１を移動させて所定位置にアクセスさせることが可能である。またマイクロコンピュータ（ｕＣＯＭ）２７は、後述するフォーカス制御手段２８に指令（ＦｏｃｕｓＣｍｄ）を出力し、記録層間の移動（層間ジャンプ）や当該記録層への焦点追従制御を行わせる。符号２８はフォーカス制御手段であり、指令（ＦｏｃｕｓＣｍｄ）に応じて光ピックアップ２１の対物レンズをディスク面と直交する方向に移動制御し、記録層間の移動（層間ジャンプ）や当該記録層への焦点追従制御を行う。
【００２７】
図８に本発明の第３の実施形態におけるマイクロコンピュータ（ｕＣＯＭ）２７のアルゴリズムの一例を示す。このフローチャートは、記録再生装置に光ディスク１が装着されたときに行われる信号調整動作を示している。以下、このフローチャートに基づき、信号調整動作を説明する。
【００２８】
先ず、フォーカスをオンして焦点制御動作を開始する（ＳＴ０１）。これは、指令（ＦｏｃｕｓＣｍｄ）によりフォーカス制御手段２８に指令を出力することにより行われる。次に、所定の記録層（Ｌ０）４に移動する（ＳＴ０２）。これも指令（ＦｏｃｕｓＣｍｄ）によりフォーカス制御手段２８に指令を出力することにより行われる。次に、トラッキング誤差信号（ＴＥ）の振幅を測定し、これが所定値となるように可変ゲイン手段２３に送られるゲイン設定指令（ＰＰｇａｉｎ）を調整する（ＳＴ０３）。一般的にこの調整動作は、トラッキングサーボをオンする前にトラッキング誤差信号（ＴＥ）の振幅を測定することにより行われる。これにより記録層（Ｌ０）４のトラッキング誤差信号（ＴＥ）の振幅が調整され、記録層（Ｌ０）４において最適な状態でトラッキングサーボが動作することとなる。
【００２９】
次に、記録層（Ｌ０）４に記録された信号校正情報（ＣＩ）８を読み込み（ＳＴ０４）、記録層（Ｌ０）４で調整したゲイン設定指令（ＰＰｇａｉｎ）に基づいて、信号校正情報（ＣＩ）８を用いて各記録層４，５，６，７のゲイン設定指令（ＰＰｇａｉｎ）を演算する（ＳＴ０５）。先ず、記録層（Ｌ０）４のゲイン設定指令（ＰＰｇａｉｎ［０］）（［ｎ］は記録層（Ｌｎ）で適用するゲイン設定し例を示す）は、そのままの値を用いる。他の層のゲイン設定指令（ＰＰｇａｉｎ）は、例えば記録層（Ｌ１）５のゲイン設定指令（ＰＰｇａｉｎ［１］）はＰＰｇａｉｎ［１］＝ＰＰｇａｉｎ＊（Ｒ０／Ｒ１）＊（ＰＰ０／ＰＰ１）＊ａ１と計算する。ここでａ１は記録層（Ｌ１）５において適用する装置固有の定数であり、予め設計で求められている。同様に、記録層（Ｌ２）６、記録層（Ｌ３）７においても装置固有の定数ａ２，ａ３が乗算される。すなわち、他の記録層５，６，７のゲイン設定指令（ＰＰｇａｉｎ）は、記録層（Ｌ０）４で調整したゲイン設定指令（ＰＰｇａｉｎ）に反射率の比と正規化プッシュプル振幅の比を乗算したものに定数ａ１〜ａ３を乗じて求めることができる。以下、同様にして各記録層６，７のゲイン設定指令（ＰＰｇａｉｎ）を演算し、調整動作が完了する。
【００３０】
本実施形態によれば、実際に信号振幅を測定しつつ調整を行うのは記録層（Ｌ０）４だけであり、他の記録層５，６，７は記録層（Ｌ０）４の調整結果と信号校正情報（ＣＩ）８とから演算により求めるため、各記録層５，６，７において実際に信号振幅を測定しつつ調整を行う必要がないので、全体の調整時間を短くすることができ、待ち時間を短くすることにより作業効率を向上することができる。
【００３１】
図９は、図８に示した調整が完了した後に記録層（Ｌｎ）に焦点位置を移動させる際のフローチャートを示している。ステップＳＴ１１は、フォーカス制御手段２８に対して記録層（Ｌｎ）に移動するように指令しており、ステップＳＴ１２において記録層（Ｌｎ）に適用すべきゲイン設定指令（ＰＰｇａｉｎ［ｎ］）をゲイン設定指令（ＰＰｇａｉｎ）として出力している。ステップＳＴ１３は、記録層（Ｌｎ）に移動後、実際にデータを読み書きする処理である。このように、調整後は各記録層に適用すべく記憶したゲイン設定指令（ＰＰｇａｉｎ）を与えるだけであるので、高速での層間移動が可能となる。
【００３２】
図１０に本発明の第４の実施形態におけるマイクロコンピュータ（ｕＣＯＭ）２７のアルゴリズムの一例を示す。このフローチャートは、第３の実施形態で示した記録再生装置に光ディスク１６が装着されたときに行われる信号調整動作を示している。以下、このフローチャートに基づき、信号調整動作を説明する。
【００３３】
先ず、フォーカスをオンして焦点制御動作を開始する（ＳＴ２１）。これは、指令（ＦｏｃｕｓＣｍｄ）によりフォーカス制御手段２８に指令を出力することにより行われる。次に、トラッキング誤差信号（ＴＥ）の振幅を測定し、これが所定値となるように可変ゲイン手段２３に送られるゲイン設定指令（ＰＰｇａｉｎ）を調整する（ＳＴ２２）。次に、現在の記録層の層番号Ｌｎを把握する（ＳＴ２３）。この層番号の把握は、ウオブル信号（ＷＢＬ）を図示しないデコード手段によりデコードすることで得ることができる。
【００３４】
次に、当該記録層（Ｌｎ）に記録された信号校正情報（ＣＩ）を読み込み（ＳＴ２４）、当該記録層（Ｌｎ）で調整したゲイン設定指令（ＰＰｇａｉｎ）に基づいて、信号校正情報（ＣＩ）を用いて各記録層４，５，６，７のゲイン設定指令（ＰＰｇａｉｎ）を演算する（ＳＴ２５）。先ず、当該記録層（Ｌｎ）のゲイン設定指令（ＰＰｇａｉｎ［Ｌｎ］）はそのままの値を用いる。他の層のゲイン設定指令（ＰＰｇａｉｎ［ｎ］）は、ＰＰｇａｉｎ［ｎ］＝ＰＰｇａｉｎ＊（Ｒ［Ｌｎ］／Ｒ［ｎ］）＊（ＰＰ［Ｌｎ］／ＰＰ［ｎ］）＊ａ［ｎ］と計算する。ここでａ［ｎ］はｎ番の記録層において適用する装置固有の定数であり、予め設計で求められている。すなわち、ｎ番の記録層のゲイン設定指令（ＰＰｇａｉｎ）は、記録層（Ｌｎ）で調整したゲイン設定指令（ＰＰｇａｉｎ）に反射率の比と正規化プッシュプル振幅の比を乗算したものに定数ａ［ｎ］を乗じて求めることができる。
【００３５】
本実施形態によれば、特定の記録層に移動する必要がなく、最初にフォーカスをオンした記録層においてゲイン設定指令（ＰＰｇａｉｎ）の調整を行えばよいので、第３の実施形態に比して全体の調整時間を短くすることができ、待ち時間をさらに短くすることにより作業効率を向上することができる。
【００３６】
図１１に本発明の第５の実施形態におけるマイクロコンピュータ（ｕＣＯＭ）２７のアルゴリズムの一例を示す。このフローチャートは、第３の実施形態で示した記録再生装置に光ディスク１が装着されたときに行われる信号調整動作を示している。以下、このフローチャートに基づき、信号調整動作を説明する。
【００３７】
先ず、フォーカスをオンして焦点制御動作を開始し（ＳＴ３１）、所定の記録層（Ｌ０）４に移動する（ＳＴ３２）。次に、記録層（Ｌ０）４に記録された信号校正情報（ＣＩ）８を読み込み（ＳＴ３３）、読み込んだ信号校正情報（ＣＩ）８を用いて各記録層４，５，６，７のゲイン設定指令（ＰＰｇａｉｎ）を演算する（ＳＴ３４）。例えば記録層（Ｌ１）５のゲイン設定指令（ＰＰｇａｉｎ［１］）は、ＰＰｇａｉｎ［１］＝（１／Ｒ１）＊（１／ＰＰ１）＊ａ１と計算する。ここでａｎはｎ番の記録層において適用する装置固有の定数であり、予め設計で求められている。すなわち、ｎ番の記録層のゲイン設定指令（ＰＰｇａｉｎ）は、ｎ番の記録層の反射率の逆数と正規化プッシュプル振幅の逆数とを乗算したものに定数ａｎを乗じて求めることができる。
【００３８】
本実施形態によれば、特定の記録層に記録された信号校正情報（ＣＩ）に基づいて、演算のみによって各記録層の調整値を求め、実際に信号振幅を測定しつつ調整を行う必要がないので、全体の調整時間をさらに短くすることができ、待ち時間をさらに短くすることにより作業効率を向上することができる。
【００３９】
図１２に本発明の第６の実施形態におけるマイクロコンピュータ（ｕＣＯＭ）２７のアルゴリズムの一例を示す。このフローチャートは、第３の実施形態で示した記録再生装置に光ディスク１６が装着されたときに行われる信号調整動作を示している。以下、このフローチャートに基づき、信号調整動作を説明する。
【００４０】
先ず、フォーカスをオンして焦点制御動作を開始し（ＳＴ４１）、当該記録層（Ｌｎ）に記録された信号校正情報（ＣＩ）を読み込む（ＳＴ４２）。次に読み込んだ信号校正情報（ＣＩ）を用いて各記録層４，５，６，７のゲイン設定指令（ＰＰｇａｉｎ）を演算する（ＳＴ４３）。例えば記録層（Ｌ１）５のゲイン設定指令（ＰＰｇａｉｎ［１］）は、ＰＰｇａｉｎ［１］＝（１／Ｒ１）＊（１／ＰＰ１）＊ａ１と計算する。ここでａｎはｎ番の記録層において適用する装置固有の定数であり、予め設計で求められている。すなわち、ｎ番の記録層のゲイン設定指令（ＰＰｇａｉｎ）は、ｎ番の記録層の反射率の逆数と正規化プッシュプル振幅の逆数を乗算したものに定数ａｎを乗じて求めることができる。
【００４１】
本実施形態によれば、何れかの記録層に記録された信号校正情報（ＣＩ）に基づいて、演算のみによって各記録層の調整値を求め、実際に信号振幅を測定しつつ調整を行う必要がないので、全体の調整時間をさらに短くすることができ、待ち時間をさらに短くすることにより作業効率を向上することができる。さらに信号校正情報（ＣＩ）を得るために特定の記録層に移動する必要がないので、層間移動時間を節約できるため全体の調整時間をより一層短縮することができる。
【００４２】
上述した各実施形態では、光ディスクに対する記録及び再生が可能な記録再生装置を示したが、本発明が適用可能な構成はこれに限られず、記録のみあるいは再生のみが可能な構成、これらの構成に消去も可能な構成を付加した構成等にも本発明は適用可能である。
【図面の簡単な説明】
【００４３】
【図１】本発明の第１の実施形態を採用した光ディスクの断面図である。
【図２】本発明の第１の実施形態に用いられる信号校正情報を示す図表である。
【図３】本発明の第１の実施形態における光スポットの半径方向位置に対する和信号とプッシュプル信号の概念を示す概略図である。
【図４】本発明の第１の実施形態に用いられる和信号とプッシュプル信号とを得るための光学系の概略図である。
【図５】本発明の第２の実施形態を採用した光ディスクの断面図である。
【図６】本発明の第２の実施形態に用いられる信号校正情報を示す図表である。
【図７】本発明の第３の実施形態に用いられる光ディスクを記録再生する記録再生装置のブロック図である。
【図８】本発明の第３の実施形態におけるマイクロコンピュータのアルゴリズムの一例を示すフローチャートである。
【図９】本発明の第３の実施形態における図８に示した調整が完了した後に焦点位置を記録層に移動させる際のフローチャートである。
【図１０】本発明の第４の実施形態におけるマイクロコンピュータのアルゴリズムの一例を示すフローチャートである。
【図１１】本発明の第５の実施形態におけるマイクロコンピュータのアルゴリズムの一例を示すフローチャートである。
【図１２】本発明の第６の実施形態におけるマイクロコンピュータのアルゴリズムの一例を示すフローチャートである。
【符号の説明】
【００４４】
１，１６  光ディスク
４，５，６，７  記録層
８，１７  校正情報（信号校正情報）
９  案内溝
２７  調整手段、演算手段（マイクロコンピュータ）
【図１】
2009146501.tif 000003
【図２】
2009146501.tif 000004
【図３】
2009146501.tif 000005
【図４】
2009146501.tif 000006
【図５】
2009146501.tif 000007
【図６】
2009146501.tif 000008
【図７】
2009146501.tif 000009
【図８】
2009146501.tif 000010
【図９】
2009146501.tif 000011
【図１０】
2009146501.tif 000012
【図１１】
2009146501.tif 000013
【図１２】
2009146501.tif 000014